(57)【要約】【課題】映像システムを提供する。【解決手段】映像システムに係り、該映像システムは、映像信号発生装置及びディスプレイ装置を含んだものであって、仲介装置をさらに含む。該仲介装置は、映像信号発生装置とディスプレイ装置との間にそれぞれ連結され、映像信号発生装置からの映像信号それぞれを、第１形式の映像信号に変換しながら、ユーザ入力によって、映像信号発生装置それぞれの識別情報を第１形式の映像信号に含めた後、第１形式の映像信号と識別情報とをそれぞれ出力する。【選択図】図４
2014023153.tif 000002
【特許請求の範囲】
【請求項１】
互いに異なる形式の映像信号を発する映像信号発生装置と、
前記映像信号発生装置からの映像信号をそれぞれ受信してディスプレイするディスプレイ装置と、を含んだ映像システムにおいて、
前記映像信号発生装置と前記ディスプレイ装置との間にそれぞれ連結され、前記映像信号発生装置からの映像信号それぞれを、第１形式の映像信号に変換しながら、ユーザ入力により、前記映像信号発生装置それぞれの識別情報を、前記第１形式の映像信号に含めた後、前記第１形式の映像信号と、前記識別情報とをそれぞれ出力する仲介装置をさらに含んだ映像システム。
【請求項２】
前記仲介装置それぞれは、互いに連結された送信仲介部と受信仲介部とを含み、
前記映像信号発生装置のうちいずれか一つに相応し、前記送信仲介部が連結され、
前記ディスプレイ装置のうちいずれか一つに相応し、前記受信仲介部が連結されることを特徴とする請求項１に記載の映像システム。
【請求項３】
前記送信仲介部は、
相応する映像信号発生装置からの映像信号を、前記第１形式の映像信号に変換しながら、ユーザ入力により、前記映像信号発生装置の識別情報を、前記第１形式の映像信号に含めた後、前記第１形式の映像信号を前記受信仲介部に伝送し、
前記受信仲介部は、
前記送信仲介部からの前記第１形式の映像信号において、前記識別情報を検索して出力し、前記第１形式の映像信号を前記ディスプレイ装置に入力することを特徴とする請求項２に記載の映像システム。
【請求項４】
前記送信仲介部は、
相応する映像信号発生装置からの映像信号を解読する入力映像デコーダと、
前記入力映像デコーダからの解読された映像信号を、前記第１形式の映像信号に変換しながら、前記映像信号発生装置の識別情報を、前記第１形式の映像信号に含めた後、前記第１形式の映像信号を前記受信仲介部に伝送する映像信号変換部と、
ユーザ入力装置と通信しながら、前記ユーザ入力装置からの入力信号により、前記映像信号発生装置の識別情報を、前記映像信号変換部に提供する第１制御部と、を含んだことを特徴とする請求項３に記載の映像システム。
【請求項５】
前記受信仲介部は、
前記送信仲介部の前記映像信号変換部からの前記第１形式の映像信号に含まれている前記識別情報を検索して出力した後、前記第１形式の映像信号を前記ディスプレイ装置に提供する識別情報検索部と、
識別情報表示装置と通信しながら、前記識別情報検索部からの前記識別情報を、前記識別情報表示装置に提供する第２制御部と、を含んだことを特徴とする請求項４に記載の映像システム。
【請求項６】
前記第１形式の映像信号は、
ＴＭＤＳ（transition minimize differential signaling）形式でエンコードされるＨＤＭＩ（high-definition multimedia interface）形式の映像信号であることを特徴とする請求項３に記載の映像システム。
【請求項７】
前記送信仲介部は、
相応する映像信号発生装置からの映像信号を解読する入力映像デコーダと、
前記入力映像デコーダからの解読された映像信号を、解読されたＨＤＭＩ形式の映像信号に変換しながら、前記映像信号発生装置の識別情報をＨＤＭＩ形式の映像信号に含めた後、解読されたＨＤＭＩ形式の映像信号をＴＭＤＳ形式でエンコードし、前記受信仲介部に伝送する第１ＨＤＭＩエンコーダと、
ユーザ入力装置と通信しながら、前記ユーザ入力装置からの入力信号により、前記映像信号発生装置の識別情報を、前記第１ＨＤＭＩエンコーダに提供する第１制御部と、を含んだことを特徴とする請求項６に記載の映像システム。
【請求項８】
前記受信仲介部は、
前記送信仲介部の前記第１ＨＤＭＩエンコーダからのＨＤＭＩ形式の映像信号を解読し、解読されたＨＤＭＩ形式の映像信号に含まれている前記識別情報を検索して出力した後、前記解読されたＨＤＭＩ形式の映像信号を出力するＨＤＭＩデコーダと、
前記ＨＤＭＩデコーダからの解読されたＨＤＭＩ形式の映像信号をＴＭＤＳ形式でエンコードし、前記ディスプレイ装置に提供する第２ＨＤＭＩエンコーダと、
識別情報表示装置と通信しながら、前記ＨＤＭＩデコーダからの前記識別情報を、前記識別情報表示装置に提供する第２制御部と、を含んだことを特徴とする請求項７に記載の映像システム。
【請求項９】
前記映像信号発生装置の前記識別情報は、
解読されたＨＤＭＩ形式で、各種データの情報を提供する情報フレーム領域及び非認識パケット領域のうち少なくともいずれか一つに載せられることを特徴とする請求項８に記載の映像システム。
【請求項１０】
前記解読されたＨＤＭＩ形式での各種データの情報は、
ＡＶＩ（audio video interleave）データの情報、ＳＰＤ（source product descriptor）データの情報、オーディオデータの情報、ＭＰＥＧ（moving picture experts group）データの情報を含んだことを特徴とする請求項９に記載の映像システム。
【請求項１１】
ＴＭＤＳ形式でエンコードされたＨＤＭＩ形式による単位映像フレームは、
制御区間、データ離隔区間及びビデオデータ区間を含み、
前記映像信号発生装置の前記識別情報は、前記データ離隔区間に載せられることを特徴とする請求項１０に記載の映像システム。
【請求項１２】
ＴＭＤＳ形式でエンコードされたＨＤＭＩ形式の映像信号は、
３データチャネル及び１クロックチャネルによって伝送されるが、単位フレームについて、制御周期、データ離隔周期、制御周期及びビデオデータ周期として伝送され、
前記映像信号発生装置の前記識別情報は、前記データ離隔周期に載せられることを特徴とする請求項１１に記載の映像システム。
【発明の詳細な説明】
【技術分野】
【０００１】
本発明は、映像システムに係り、さらに詳細には、映像信号発生装置及びディスプレイ装置を含んだ映像システムに関する。
【背景技術】
【０００２】
図１は、一般的な映像システムを示している。
【０００３】
図１を参照すれば、一般的に、映像システムとは、映像信号発生装置１０１ないし１０ｎと、それにそれぞれ対応するディスプレイ装置１１１ないし１１ｎと、を含む。
【０００４】
例えば、病院での映像システムには、各室の医療装備と結合されている多数の映像信号発生装置１０１ないし１０ｎと、それにそれぞれ対応する多数のディスプレイ装置１１１ないし１１ｎとが具備されている。
【０００５】
前記のような映像システムにおいて、それぞれの映像信号発生装置１０１ないし１０ｎで発せられる映像信号の形式が互いに異なることにより、ディスプレイ装置１１１ないし１１ｎの種類が互いに異なる。また、ディスプレイ装置１１１ないし１１ｎの種類が同じである場合、それぞれのディスプレイ装置は、多様な形式の映像信号をいずれもディスプレイできなければならない。
【０００６】
従って、従来の映像システムは、非効率的にディスプレイ装置を使用しており、ディスプレイ装置を統合的に制御し難いという問題点を有する。
【０００７】
かような問題点を解消するために、それぞれの映像信号発生装置で発せられる映像信号の形式を同一に変換する場合、ある１つのディスプレイ装置がいずれの映像信号発生装置に連結されるか、あるいは連結されているかをユーザが容易に知り難いという問題点がある。なお、本発明の関連技術文献として、特許文献１がある。
【先行技術文献】
【特許文献】
【０００８】
【特許文献１】大韓民国公開特許公報第２００５−００２２２６８号（出願人：日本ビクター株式会社；発明の名称：伝送システム）
【発明の概要】
【発明が解決しようとする課題】
【０００９】
本発明の実施形態は、効率的にディスプレイ装置を使用し、ディスプレイ装置を統合的に制御しやすく、ある１つのディスプレイ装置がいずれの映像信号発生装置に連結されるか、あるいは連結されているかをユーザに容易に知らしめる映像システムを提供するものである。
【課題を解決するための手段】
【００１０】
本発明の一側面の映像システムは、映像信号発生装置及びディスプレイ装置を含んだものであって、仲介装置をさらに含む。
【００１１】
前記映像信号発生装置は、互いに異なる形式の映像信号を発する。
【００１２】
前記ディスプレイ装置は、前記映像信号発生装置からの映像信号をそれぞれ受信してディスプレイする。
【００１３】
前記仲介装置は、前記映像信号発生装置と前記ディスプレイ装置との間にそれぞれ連結され、前記映像信号発生装置からの映像信号それぞれを、第１形式の映像信号に変換しながら、ユーザ入力によって、前記映像信号発生装置それぞれの識別情報を、前記第１形式の映像信号に含めた後、前記第１形式の映像信号と、前記識別情報とをそれぞれ出力する。
【００１４】
望ましくは、前記仲介装置それぞれは、互いに連結された送信仲介部と受信仲介部とを含む。前記映像信号発生装置のうちいずれか一つに相応し、前記送信仲介部が連結される。前記ディスプレイ装置のうちいずれか一つに相応し、前記受信仲介部が連結される。
【００１５】
望ましくは、前記送信仲介部は、相応する映像信号発生装置からの映像信号を、前記第１形式の映像信号に変換しながら、ユーザ入力によって、前記映像信号発生装置の識別情報を、前記第１形式の映像信号に含めた後、前記第１形式の映像信号を前記受信仲介部に伝送する。
【００１６】
前記受信仲介部は、前記送信仲介部からの前記第１形式の映像信号で、前記識別情報を検索して出力し、前記第１形式の映像信号を前記ディスプレイ装置に入力する。
【００１７】
望ましくは、前記送信仲介部は、入力映像デコーダ、映像信号変換部、及び第１制御部を含む。
【００１８】
前記入力映像デコーダは、相応する映像信号発生装置からの映像信号を解読する。
【００１９】
前記映像信号変換部は、前記入力映像デコーダからの解読された映像信号を、前記第１形式の映像信号に変換しながら、前記映像信号発生装置の識別情報を、前記第１形式の映像信号に含めた後、前記第１形式の映像信号を前記受信仲介部に伝送する。
【００２０】
前記第１制御部は、ユーザ入力装置と通信しながら、前記ユーザ入力装置からの入力信号によって、前記映像信号発生装置の識別情報を、前記映像信号変換部に提供する。
【００２１】
また、前記受信仲介部は、識別情報検索部及び第２制御部を含む。
【００２２】
前記識別情報検索部は、前記送信仲介部の前記映像信号変換部からの前記第１形式の映像信号に含まれている前記識別情報を検索して出力した後、前記第１形式の映像信号を前記ディスプレイ装置に提供する。
【００２３】
前記第２制御部は、識別情報表示装置と通信しながら、前記識別情報検索部からの前記識別情報を、前記識別情報表示装置に提供する。
【００２４】
一方、望ましくは、前記第１形式の映像信号は、ＴＭＤＳ（transition minimized differential signaling）形式でエンコードされるＨＤＭＩ（high-definition multimedia interface）形式の映像信号である。
【００２５】
ここで、前記送信仲介部は、入力映像デコーダ及び第１ＨＤＭＩエンコーダ及び第１制御部を含む。
【００２６】
前記入力映像デコーダは、相応する映像信号発生装置からの映像信号を解読する。
【００２７】
前記第１ＨＤＭＩエンコーダは、前記入力映像デコーダからの解読された映像信号を、解読されたＨＤＭＩ形式の映像信号に変換しながら、前記映像信号発生装置の識別情報をＨＤＭＩ形式の映像信号に含めた後、解読されたＨＤＭＩ形式の映像信号をＴＭＤＳ形式でエンコードし、前記受信仲介部に伝送する。
【００２８】
前記第１制御部は、ユーザ入力装置と通信しながら、前記ユーザ入力装置からの入力信号により、前記映像信号発生装置の識別情報を、前記第１ＨＤＭＩエンコーダに提供する。
【００２９】
望ましくは、前記受信仲介部は、ＨＤＭＩデコーダ、第２ＨＤＭＩエンコーダ及び第２制御部を含む。
【００３０】
前記ＨＤＭＩデコーダは、前記送信仲介部の前記第１ＨＤＭＩエンコーダからのＨＤＭＩ形式の映像信号を解読し、解読されたＨＤＭＩ形式の映像信号に含まれている前記識別情報を検索して出力した後、前記解読されたＨＤＭＩ形式の映像信号を出力する。
【００３１】
前記第２ＨＤＭＩエンコーダは、前記ＨＤＭＩデコーダからの解読されたＨＤＭＩ形式の映像信号をＴＭＤＳ形式でエンコードし、前記ディスプレイ装置に提供する。
【００３２】
前記第２制御部は、識別情報表示装置と通信しながら、前記第２ＨＤＭＩエンコーダからの前記識別情報を、前記識別情報表示装置に提供する。
【００３３】
望ましくは、前記映像信号発生装置の前記識別情報は、解読されたＨＤＭＩ形式で、各種データの情報を提供する情報フレーム（info-frame）領域及び非認識パケット（unrecognized packet）領域のうち少なくともいずれか一つに載せられる。
【００３４】
ここで、前記解読されたＨＤＭＩ形式での各種データの情報は、ＡＶＩ（audio video interleave）データの情報、ＳＰＤ（source product descriptor）データの情報、オーディオデータの情報、及びＭＰＥＧ（moving picture experts group）データの情報を含む。
【００３５】
また、ＴＭＤＳ形式でエンコードされたＨＤＭＩ形式による単位映像フレームは、制御区間、データ離隔（island）区間及びビデオデータ区間を含む。ここで、前記映像信号発生装置の前記識別情報は、前記データ離隔区間に載せられる。
【００３６】
また、ＴＭＤＳ形式でエンコードされたＨＤＭＩ形式の映像信号は、３データチャネル及び１クロックチャネルによって伝送されるが、単位フレームに対して、制御周期、データ離隔周期、制御周期、及びビデオデータ周期として伝送される。ここで、前記映像信号発生装置の前記識別情報は、前記データ離隔周期に載せられる。
【発明の効果】
【００３７】
本発明の実施形態の前記映像システムによれば、前記仲介装置によって、前記映像信号発生装置からの映像信号それぞれは、前記第１形式の映像信号に変換される。
【００３８】
従って、前記ディスプレイ装置は、前記第１形式の映像信号のみを入力されて映像をディスプレイするものであって、互いに同一種類になる。
【００３９】
すなわち、前記ディスプレイ装置が効率的に用いられ、前記ディスプレイ装置の統合的制御が容易になる。
【００４０】
さらに、前記仲介装置は、ユーザ入力により、前記映像信号発生装置それぞれの識別情報を、前記第１形式の映像信号に含めた後、前記第１形式の映像信号と、前記識別情報とをそれぞれ出力する。
【００４１】
従って、前記ディスプレイ装置が、前記第１形式の映像信号のみを入力されて映像をディスプレイする場合に生じうる問題点、すなわち、ある１つのディスプレイ装置がいずれの映像信号発生装置に連結されるか、あるいは連結されているかをユーザが容易に知ることができないという問題点が解消される。
【図面の簡単な説明】
【００４２】
【図１】一般的な映像システムを示すブロック図である。
【図２】本発明の一実施形態の映像システムを示すブロック図である。
【図３】図２のある１つの仲介装置の構成を示すブロック図である。
【図４】図３の送信仲介部の構成の第１例を示すブロック図である。
【図５】図３の受信仲介部の構成の第１例を示すブロック図である。
【図６】図３の送信仲介部の構成の第２例を示すブロック図である。
【図７】図３の受信仲介部の構成の第２例を示すブロック図である。
【図８】ＴＭＤＳ形式でエンコードされたＨＤＭＩ形式による単位映像フレームを示す図面である。
【図９】ＴＭＤＳ形式でエンコードされたＨＤＭＩ形式の映像信号の構造を示す図面である。
【発明を実施するための形態】
【００４３】
以下の説明及び添付された図面は、本発明による動作を理解するためのものであり、本技術分野の当業者が容易に具現することができる部分は省略する。
【００４４】
また、本明細書及び図面は、本発明を制限するための目的で提供されたものではなく、本発明の範囲は、特許請求の範囲によって決まるものである。本明細書で使用された用語は、本発明を最も適切に表現するように、本発明の技術的思想に符合する意味及び概念で解釈されなければならない。
【００４５】
以下、添付された図面を参照し、本発明の実施形態について詳細に説明する。
【００４６】
図２は、本発明の一実施形態の映像システムを示している。
【００４７】
図２を参照すれば、本発明の一実施形態の映像システムは、映像信号発生装置２０１ないし２０ｎ、及びディスプレイ装置２１１ないし２１ｎを含んだものであって、仲介装置２２１ないし２２ｎをさらに含む。
【００４８】
映像信号発生装置２０１ないし２０ｎは、互いに異なる形式の映像信号を発する。
【００４９】
ディスプレイ装置２１１ないし２１ｎは、映像信号発生装置２０１ないし２０ｎからの映像信号をそれぞれ受信してディスプレイする。
【００５０】
仲介装置２２１ないし２２ｎは、映像信号発生装置２０１ないし２０ｎと、ディスプレイ装置２１１ないし２１ｎとの間にそれぞれ連結されている。
【００５１】
仲介装置２２１ないし２２ｎは、映像信号発生装置２０１ないし２０ｎからの映像信号それぞれを、第１形式の映像信号に変換させる。
【００５２】
従って、ディスプレイ装置２１１ないし２１ｎは、第１形式の映像信号のみを入力されて映像をディスプレイするものであって、互いに同一種類になる。すなわち、ディスプレイ装置２１１ないし２１ｎが効率的に用いられ、ディスプレイ装置２１１ないし２１ｎの統合的制御が容易になる。
【００５３】
また、仲介装置２２１ないし２２ｎは、ユーザ入力によって、映像信号発生装置２０１ないし２０ｎそれぞれの識別情報を、第１形式の映像信号に含めた後、第１形式の映像信号と識別情報とをそれぞれ出力する。
【００５４】
従って、ディスプレイ装置２１１ないし２１ｎが、第１形式の映像信号のみを入力されて映像をディスプレイする場合に生じうる問題点、すなわち、ある１つのディスプレイ装置がいずれの映像信号発生装置に連結されるか、あるいは連結されているかをユーザが容易に知ることができないという問題点が解消される。
【００５５】
図３は、図２のある１つの仲介装置２２ｎの構成を示している。図３で、図２と同一の参照符号は、同一機能の対象を示す。
【００５６】
図２及び図３を参照すれば、仲介装置２２ｎそれぞれは、互いに連結された送信仲介部３１と受信仲介部３２とを含む。送信仲介部３１は、映像信号発生装置２０ｎのうちいずれか一つに相応して連結される。受信仲介部３２は、ディスプレイ装置２１ｎのうちいずれか一つに相応して連結される。
【００５７】
送信仲介部３１は、相応する映像信号発生装置２０ｎからの映像信号を、前記第１形式の映像信号に変換しながら、ユーザ入力によって、映像信号発生装置２０ｎの識別情報を、前記第１形式の映像信号に含めた後、前記第１形式の映像信号を、受信仲介部３２に伝送する。
【００５８】
受信仲介部３２は、送信仲介部３１からの前記第１形式の映像信号において、前記識別情報を検索して出力し、前記第１形式の映像信号をディスプレイ装置２１ｎに入力する。
【００５９】
図４は、図３の送信仲介部３１の構成の第１例を示している。
【００６０】
図３及び図４を参照すれば、送信仲介部３１は、入力映像デコーダ４１、映像信号変換部４２及び第１制御部４３を含む。
【００６１】
入力映像デコーダ４１は、相応する映像信号発生装置２０ｎからの映像信号を解読する。
【００６２】
映像信号変換部４２は、入力映像デコーダ４１からの解読された映像信号を、前記第１形式の映像信号に変換しながら、映像信号発生装置２０ｎの識別情報を、前記第１形式の映像信号に含めた後、前記第１形式の映像信号を受信仲介部３２に伝送する。
【００６３】
第１制御部４３は、ユーザ入力装置４９と通信しながら、ユーザ入力装置４９からの入力信号によって、映像信号発生装置２０ｎの識別情報を映像信号変換部４２に提供する。
【００６４】
ユーザ入力装置４９の例として、ノート型パソコンを挙げることができる。第１制御部４３とユーザ入力装置４９は、ＵＳＢ（universal serial bus）形式またはＵＡＲＴ（universal asynchronous receiver/transmitter）形式の通信を行うことができる。
【００６５】
図５は、図３の受信仲介部３２の構成の第１例を示している。
【００６６】
図３ないし図５を参照すれば、受信仲介部３２は、識別情報検索部５１及び第２制御部５２を含む。
【００６７】
識別情報検索部５１は、送信仲介部３１の映像信号変換部４２からの前記第１形式の映像信号に含まれている識別情報を検索して出力した後、前記第１形式の映像信号を、ディスプレイ装置２１ｎに提供する。
【００６８】
第２制御部５２は、識別情報表示装置５９と通信しながら、識別情報検索部５１からの識別情報を、識別情報表示装置５９に提供する。
【００６９】
識別情報表示装置５９の例として、小型ＬＣＤ（liquid crystal display）装置などを挙げることができる。第２制御部５２と識別情報表示装置５９は、ＵＳＢ形式またはＵＡＲＴ形式の通信を行うことができる。
【００７０】
図６は、図３の送信仲介部３１の構成の第２例を示している。以下では、前記第１形式の映像信号は、ＴＭＤＳ（transition minimize differential signaling）形式でエンコードされるＨＤＭＩ（high-definition multimedia interface）形式の映像信号である。
【００７１】
図３及び図６を参照すれば、第２例の送信仲介部３１は、入力映像デコーダ６１及び第１ＨＤＭＩエンコーダ６２及び第１制御部６３を含む。
【００７２】
入力映像デコーダ６１は、相応する映像信号発生装置２０ｎからの映像信号を解読する。
【００７３】
第１ＨＤＭＩエンコーダ６２は、入力映像デコーダ６１からの解読された映像信号を、解読されたＨＤＭＩ形式の映像信号に変換しながら、映像信号発生装置２０ｎの識別情報を、ＨＤＭＩ形式の映像信号に含めた後、解読されたＨＤＭＩ形式の映像信号を、ＴＭＤＳ形式でエンコードして受信仲介部３２に伝送する。
【００７４】
第１制御部６３は、ユーザ入力装置６９と通信しながら、ユーザ入力装置６９からの入力信号によって、映像信号発生装置２０ｎの識別情報を第１ＨＤＭＩエンコーダ３１に提供する。
【００７５】
前述のように、ユーザ入力装置６９の例として、ノート型パソコンなどを挙げることができる。第１制御部６３とユーザ入力装置６９は、ＵＳＢ形式またはＵＡＲＴ形式の通信を行うことができる。
【００７６】
図７は、図３の受信仲介部３２の構成の第２例を示している。
【００７７】
図３、図６及び図７を参照すれば、第２例の受信仲介部３２は、ＨＤＭＩデコーダ７１１、第２ＨＤＭＩエンコーダ７１２及び第２制御部７２を含む。
【００７８】
ＨＤＭＩデコーダ７１１は、送信仲介部３１の第１ＨＤＭＩエンコーダ６２からのＨＤＭＩ形式の映像信号を解読し、解読されたＨＤＭＩ形式の映像信号に含まれている前記識別情報を検索して出力した後、解読されたＨＤＭＩ形式の映像信号を出力する。
【００７９】
第２ＨＤＭＩエンコーダ７１２は、ＨＤＭＩデコーダ７１１からの解読されたＨＤＭＩ形式の映像信号をＴＭＤＳ形式でエンコードし、ディスプレイ装置２１ｎに提供する。
【００８０】
第２制御部７２は、識別情報表示装置７９と通信しながら、ＨＤＭＩデコーダ７１１からの前記識別情報を、識別情報表示装置７９に提供する。
【００８１】
前述のように、識別情報表示装置７９の例として小型ＬＣＤ装置などを挙げることができる。第２制御部７２と識別情報表示装置７９は、ＵＳＢ形式またはＵＡＲＴ形式の通信を行うことができる。
【００８２】
一方、映像信号発生装置２０ｎの識別情報は、解読されたＨＤＭＩ形式で、各種データの情報を提供する情報フレーム（info-frame）領域、及び非認識パケット（unrecognized packet）領域のうち少なくともいずれか一つに載せられる。
【００８３】
周知のように、解読されたＨＤＭＩ形式での各種データの情報は、ＡＶＩ（audio video interleave）データの情報、ＳＰＤ（source product descriptor）データの情報、オーディオデータの情報及びＭＰＥＧ（moving picture experts group）データの情報を含む。
【００８４】
図８は、ＴＭＤＳ形式でエンコードされたＨＤＭＩ形式による単位映像フレームを示す。図８で参照符号ＶＳＹＮＣは垂直同期信号を、そしてＨＳＹＮＣは水平同期信号をそれぞれ示している。
【００８５】
図８を参照すれば、ＴＭＤＳ形式でエンコードされたＨＤＭＩ形式による単位映像フレームは、制御区間、データ離隔（island）区間及びビデオデータ区間を含む。ここで、映像信号発生装置２０ｎの識別情報は、前記データ離隔区間に載せられる。
【００８６】
図９は、ＴＭＤＳ形式でエンコードされたＨＤＭＩ形式の映像信号の構造を示している。図９で、参照符号ＰＢは、前提部を、ＬＧＢは、初期保護区間（leading guard band）を、ＩＤは、識別情報記録領域を、ＴＧＢは、末期保護区間（tailing guard band）をそれぞれ示す。
【００８７】
また、ビデオデータＲ、ビデオデータＧ及びビデオデータＢは、赤色（Ｒ）−緑色（Ｇ）−青色（Ｂ）形式のビデオデータを意味する。
【００８８】
図９を参照すれば、ＴＭＤＳ形式でエンコードされたＨＤＭＩ形式の映像信号は、３データチャネル及び１クロックチャネルによって伝送されるが、単位フレームについて、制御周期、データ離隔周期、制御周期及びビデオデータ周期として伝送される。ここで、映像信号発生装置の識別情報２０ｎは、データ離隔周期に載せられる。
【００８９】
前述のように、本発明の実施形態の映像システムによれば、仲介装置によって、映像信号発生装置からの映像信号それぞれは、第１形式の映像信号に変換される。
【００９０】
従って、ディスプレイ装置は、第１形式の映像信号のみを入力されて映像をディスプレイするものであって、互いに同一種類になる。
【００９１】
すなわち、ディスプレイ装置が効率的に用いられ、ディスプレイ装置の統合的制御が容易になる。
【００９２】
さらに、仲介装置は、ユーザ入力によって、映像信号発生装置それぞれの識別情報を第１形式の映像信号に含めた後、第１形式の映像信号と識別情報とをそれぞれ出力する。
【００９３】
従って、ディスプレイ装置が第１形式の映像信号のみを入力されて映像をディスプレイする場合に生じうる問題点、すなわち、ある１つのディスプレイ装置がいずれの映像信号発生装置に連結されるか、あるいは連結されているかをユーザが容易に知ることができないという問題点が解消される。
【００９４】
以上、本発明について望ましい実施形態を中心に説明した。本発明が属する技術分野で当業者であるならば、本発明の本質的な特性から外れない範囲で変形された形態で、本発明を具現することができるということを理解するであろう。
【００９５】
従って、前記開示された実施形態は、限定的な観点ではなく、説明的な観点から考慮されなければならない。本発明の範囲は、前述の説明ではなく、特許請求の範囲に示されており、特許請求の範囲によって請求された発明、及び請求された発明と均等な発明は、本発明に含まれたものであると解釈されなければならない。
【産業上の利用可能性】
【００９６】
本発明の映像システムは、例えば、ディスプレイ関連、さらには信号伝送システム関連の技術分野に効果的に適用可能である。
【符号の説明】
【００９７】
１０１ないし１０ｎ，２０１ないし２０ｎ 映像信号発生装置
１１１ないし１１ｎ，２１１ないし２１ｎ ディスプレイ装置
２２１ないし２２ｎ    仲介装置
３１    送信仲介部
３２    受信仲介部
４１，６１    入力映像デコーダ
４２    映像信号変換部
４３，６３    第１制御部
４９，６９    ユーザ入力装置
５１    識別情報検索部
５２，７２    第２制御部
５９，７９    識別情報表示装置
６２    第１ＨＤＭＩエンコーダ
７１１    ＨＤＭＩデコーダ、
７１２    第２ＨＤＭＩエンコーダ、
ＩＤ    識別情報記録領域
ＰＢ    前提部
ＬＧＢ    初期保護区間（leading guard band）
ＴＧＢ    末期保護区間（tailing guard band）
ＨＳＹＮＣ    水平同期信号
ＶＳＹＮＣ    垂直同期信号
【図１】
2014023153.tif 000003
【図２】
2014023153.tif 000004
【図３】
2014023153.tif 000005
【図４】
2014023153.tif 000006
【図５】
2014023153.tif 000007
【図６】
2014023153.tif 000008
【図７】
2014023153.tif 000009
【図８】
2014023153.tif 000010
【図９】
2014023153.tif 000011